(57)【要約】  基地局は、信号送信が制御チャネルおよびデータチャネルを含む場合に、モバイルブロードバンド（ＭＢＢ）ユーザ機器（ＵＥ）装置と、ＭＢＢ  ＵＥ装置に近接しているマシン型通信（ＭＴＣ）装置と、に信号送信を送信する。制御チャネルは、ＭＴＣ装置およびＭＢＢ  ＵＥ装置が同じ位置にあるためにそれらに適用される共通位置依存制御情報を含む。
2019531661.tif 000002
【特許請求の範囲】
【請求項１】
ユーザ機器（ＵＥ）装置およびマシン型通信（ＭＴＣ）装置に、送信信号を送信することを含み、
前記送信信号の前記送信は、
物理下りリンクデータチャネルを介して複数のデータ時間・周波数リソースを送信することと、
物理下りリンク制御チャネルを介して複数の制御時間・周波数リソースを送信することと、を含み、
前記複数のデータ時間・周波数リソースは、前記ＵＥ装置に関するＵＥデータを伝達するＵＥデータ時間・周波数リソースおよび前記ＭＴＣ装置に関するＭＴＣデータを伝達するＭＴＣデータ時間・周波数リソースを含み、
前記複数の制御時間・周波数リソースは、前記ＵＥ装置による前記ＵＥデータおよび前記ＭＴＣ装置による前記ＭＴＣデータの受信に適用される共通位置依存制御情報を含む、方法。
【請求項２】
前記ＵＥデータを伝達する前記ＵＥデータ時間・周波数リソースは、ＵＥデータを伝達するために利用可能なＵＥデータ時間・周波数リソースの一部であり、前記ＭＴＣデータを伝達する前記ＭＴＣデータ時間・周波数リソースは、前記利用可能なＵＥデータ時間・周波数リソースの未使用ＵＥデータ時間・周波数リソースである、請求項１に記載の方法。
【請求項３】
前記物理下りリンク制御チャネルは、
前記ＵＥデータの回復に適用され、前記ＵＥデータ時間・周波数リソースを識別するＵＥ制御情報と、
前記ＭＴＣデータの回復に適用され、前記ＭＴＣデータの時間・周波数リソースを識別するＭＴＣ制御情報と、を含む、請求項１に記載の方法。
【請求項４】
前記物理下りリンク制御チャネルは、３ＧＰＰ（Ｔｈｅ  Ｔｈｉｒｄ  Ｇｅｎｅｒａｔｉｏｎ  Ｐａｒｔｎｅｒｓｈｉｐ  Ｐｒｏｊｅｃｔ）  ＬＴＥ（Ｌｏｎｇ  Ｔｅｒｍ  Ｅｖｏｌｕｔｉｏｎ）仕様の少なくとも１つの改訂に従うＰＤＣＣＨ（Ｐｈｙｓｉｃａｌ  Ｄｏｗｎｌｉｎｋ  Ｃｏｎｔｒｏｌ  Ｃｈａｎｎｅｌ）である、請求項３に記載の方法。
【請求項５】
前記物理下りリンクデータチャネルは、３ＧＰＰ（Ｔｈｅ  Ｔｈｉｒｄ  Ｇｅｎｅｒａｔｉｏｎ  Ｐａｒｔｎｅｒｓｈｉｐ  Ｐｒｏｊｅｃｔ）  ＬＴＥ（Ｌｏｎｇ  Ｔｅｒｍ  Ｅｖｏｌｕｔｉｏｎ）仕様の少なくとも１つの改訂版に従うＰＤＳＣＨ（Ｐｈｙｓｉｃａｌ  Ｄｏｗｎｌｉｎｋ  Ｓｈａｒｅｄ  Ｃｈａｎｎｅｌ）である、請求項３に記載の方法。
【請求項６】
前記物理下りリンク制御チャネルは、３ＧＰＰ  ＬＴＥ仕様の前記少なくとも１つの改訂に従うＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）である、請求項５に記載の方法。
【請求項７】
前記ＭＴＣデータ時間・周波数リソースは、前記ＥＰＤＣＣＨのＥＰＤＣＣＨサブキャリアの周波数近くに配置される、請求項６に記載の方法。
【請求項８】
前記ＭＴＣデータ時間・周波数リソースは、前記ＥＰＤＣＣＨサブキャリアの周波数に隣接して配置される、請求項７に記載の方法。
【請求項９】
ＭＴＣデータ層制御情報は、前記ＭＴＣデータが前記信号送信中に存在することを示すＭＴＣデータ存在インジケータを含み、
前記ＭＴＣデータは、前記ＭＴＣ装置が既知の所定のフォーマットであり、
前記所定のフォーマットは、変調符号化方式（ＭＣＳ）、前記ＭＴＣデータのサイズ、および前記ＭＴＣデータの時間・周波数リソースを含む、請求項１に記載の方法。
【請求項１０】
前記所定のフォーマットは、前記ＵＥデータおよび前記ＭＴＣデータの共通の空間リソースをさらに含む、請求項９に記載の方法。
【請求項１１】
前記共通位置依存制御情報は、多入力多出力（ＭＩＭＯ）パラメータを含む、請求項１に記載の方法。
【請求項１２】
ユーザ機器（ＵＥ）装置およびマシン型通信（ＭＴＣ）装置に送信信号を送信する送信部を備え、
前記送信信号は、
前記ＭＴＣ装置に関するＭＴＣデータを伝達するＭＴＣデータ時間・周波数リソースおよび前記ＵＥ装置に関するＵＥデータを伝達するＵＥデータ時間・周波数リソースを含む複数の時間・周波数リソースを含む物理下りリンクデータチャネルと、
前記ＵＥ装置による前記ＵＥデータおよび前記ＭＴＣ装置による前記ＭＴＣデータの受信に適用される共通位置依存制御情報を含む物理下りリンク制御チャネルと、を含む基地局。
【請求項１３】
前記ＵＥデータを伝達する前記ＵＥデータ時間・周波数リソースは、前記ＵＥデータを伝達するために利用可能なＵＥデータ時間・周波数リソースの一部であり、前記ＭＴＣデータを伝達する前記ＭＴＣデータ時間・周波数リソースは、前記利用可能なＵＥデータ時間・周波数リソースの未使用のＵＥデータ時間・周波数リソースである、請求項１２に記載の基地局。
【請求項１４】
前記物理下りリンク制御チャネルは、
前記ＵＥデータの回復に適用され、前記ＵＥデータ時間・周波数リソースを識別するＵＥ制御情報と、
前記ＭＴＣデータの回復に適用され、前記ＭＴＣデータ時間・周波数リソースを識別するＭＴＣ制御情報と、を含む、請求項１２に記載の基地局。
【請求項１５】
前記物理下りリンクデータチャネルは、３ＧＰＰ（Ｔｈｅ  Ｔｈｉｒｄ  Ｇｅｎｅｒａｔｉｏｎ  Ｐａｒｔｎｅｒｓｈｉｐ  Ｐｒｏｊｅｃｔ）  ＬＴＥ（Ｌｏｎｇ  Ｔｅｒｍ  Ｅｖｏｌｕｔｉｏｎ）仕様の少なくとも１つの改訂に従うＰＤＳＣＨ（Ｐｈｙｓｉｃａｌ  Ｄｏｗｎｌｉｎｋ  Ｓｈａｒｅｄ  Ｃｈａｎｎｅｌ）であり、
前記物理下りリンク制御チャネルは、３ＧＰＰ  ＬＴＥ仕様の前記少なくとも１つの改訂に従うＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）であり、
前記ＭＴＣデータ時間・周波数リソースは、前記ＥＰＤＣＣＨのＥＰＤＣＣＨサブキャリアの周波数近くに配置される、請求項１４に記載の基地局。
【請求項１６】
前記ＭＴＣデータ時間・周波数リソースは、前記ＥＰＤＣＣＨサブキャリアの周波数に隣接して配置される、請求項１５に記載の基地局。
【発明の詳細な説明】
【優先権の主張】
【０００１】
本出願は、２０１６年１０月２１日に出願された、発明の名称が「ＲＥＳＯＵＲＣＥ  ＳＨＡＲＩＮＧ  ＢＥＴＷＥＥＮ  ＴＨＥ  ＭＴＣ  ＤＡＴＡ  ＡＮＤ  ＴＨＥ  ＭＢＢ  ＤＡＴＡ  ＦＯＲ  ＳＩＮＧＬＥ−ＵＳＥＲ  ＭＵＬＴＩ−ＤＥＶＩＣＥＳ  ＳＣＥＮＡＲＩＯ」である仮出願番号第６２／４１０，９６６号に対する優先権を主張し、それ全てが本出願の譲受人に譲渡されており、それの全体が参照により本明細書に明示的に援用されている。
【技術分野】
【０００２】
本発明は、一般に無線通信に関し、より詳細には、モバイルブロードバンド（ＭＢＢ）ユーザ機器（ＵＥ）装置の近くのＭＴＣ装置に信号を送信するための装置および方法に関する。
【背景技術】
【０００３】
従来の通信システムでは、各装置がその特定の地理的位置に基づいて固有の制御情報を受信する場合に、基地局はサービスエリア内の複数の装置に信号を送信する。ＵＥ装置の地理的位置に依存する制御情報のいくつかの例は、多入力多出力（ＭＩＭＯ）アンテナに関するパラメータを含む。状況によっては、変調符号化方式（ＭＣＳ）パラメータもまた位置に依存してもよく、一般に、ＭＩＭＯおよびＭＣＳパラメータはＵＥ装置からのチャネル状態のフィードバックに基づいており、送信の指向性は送信機に対するＵＥの位置に基づいている。
【０００４】
マシン型通信（ＭＴＣ）は、必ずしも人的交流を必要としない１つ以上のエンティティが関与するデータ通信の形態である。特定の実施態様に応じて、ＭＴＣ装置は、１つ以上のサーバまたは他の装置と通信してもよい。ネットワークオペレータは、ＭＴＣサーバがネットワークオペレータによって制御されているかどうかにかかわらず、ＭＴＣサーバへのネットワーク接続を提供する。ＭＴＣ装置は、通常、マシン型通信用に装備され、公衆移動通信網（ＰＬＭＮ）を介してＭＴＣサーバおよび／または他のＭＴＣ装置と通信するユーザ機器（ＵＥ）装置である。状況によっては、ＭＴＣ装置はまた、他のエンティティとの有線または無線接続を介してローカルに通信してもよい。
【０００５】
ＭＴＣ装置は、様々な用途でますます使用されている。一般的な使用分野のいくつかの例には、セキュリティ、追跡、健康、支払い、遠隔診断、計量および家電が含まれる。多くの具体的な用途のいくつかには、監視システム制御、（例えば、建物への）物理的アクセスの制御、フリート管理、注文管理、資産追跡、ナビゲーション、交通情報、道路通行料、販売時点管理、自動販売機、ゲーム機、バイタルサイン監視、Ｗｅｂアクセス遠隔医療ポイント、センサ、照明、ポンプ、バルブ、およびエレベーターの遠隔保守および制御、車両診断、電力、ガス、水道、および暖房の計量、格子制御、デジタルフォトフレーム、カメラ、および電子書籍の管理および制御などが含まれる。
【発明の概要】
【０００６】
基地局は、信号送信が制御チャネルおよびデータチャネルを含む場合に、モバイルブロードバンド（ＭＢＢ）ユーザ機器（ＵＥ）装置と、ＭＢＢ  ＵＥ装置に近接しているマシン型通信（ＭＴＣ）装置と、に信号送信を送信する。制御チャネルは、ＭＴＣ装置とＭＢＢ  ＵＥ装置が同じ位置にあるためにそれらに適用される共通位置依存制御情報を含む。
【図面の簡単な説明】
【０００７】
図１は、基地局が、データチャネルおよび制御チャネルを介して、ＭＢＢ  ＵＥ装置およびそのＭＢＢ  ＵＥ装置の近くに位置するＭＴＣ装置を対象とする信号送信を送信する通信システムのブロック図である。
【０００８】
図２は、ＭＢＢ  ＵＥ装置に近接するＭＴＣ装置に対する信号送信の一例のブロック図である。
【０００９】
図３は、通信システムにおける送信に適した信号送信の一例の図である。
【００１０】
図４は、通信システムにおける送信に適した信号送信の一例の図である。
【００１１】
図５は、ＵＥデータ、ＭＴＣデータ、およびＥＰＤＣＣＨを含む信号送信の一部の図である。
【００１２】
図６は、ユーザ機器（ＵＥ）装置およびマシン型通信（ＭＴＣ）装置に信号送信を送信する方法の一例のフローチャートである。
【発明を実施するための形態】
【００１３】
ある状況では、ＭＴＣ装置は、モバイルブロードバンド（ＭＢＢ）ユーザ機器（ＵＥ）装置と同じ場所にある。このような状況は、２つの装置が同じユーザに関連付けられており、同時に使用されている可能性がある場合に発生する可能性がある。例えば、ユーザはスマートフォンで映像を見て、ヘッドセットで関連する音声ストリームを聞いていてもよい。近年、ますます多くのユーザが様々な目的で複数の装置を使用している。例えば、ユーザはスマートフォン、タブレット、スマートウォッチを持ち、各装置は無線接続されている。これらの装置は全て、様々な機能を実行するために、独立してネットワークに接続する。ネットワークに接続されている装置の数が増えると、トラフィック負荷が増加し、これらの装置の管理も増加する。同じユーザによって使用される複数の装置に効率的な無線サービスを提供するために、周波数リソースおよび制御信号の量を減らす必要がある。
【００１４】
本明細書で説明される技術は、ＵＥデータ内に「パンクチャリング」されたＭＴＣデータを含む信号を送信し、２つの装置の地理的位置に基づいて基地局によって生成される共通地理的依存制御データを含む共通の制御メッセージを送信することによってＭＴＣ装置のＭＢＢ  ＵＥ装置への近接性を利用する。２つの装置は、データ信号を首尾よく受信するために、ＭＢＢ  ＵＥ装置に適用される地理的依存制御情報をＭＴＣ装置に適用することができるほど、互いに十分近い。制御メッセージはまた、各装置がその装置を対象とするデータを回復することを可能にする装置固有の制御情報を含む。したがって、ＭＢＢ  ＵＥ装置およびＭＴＣ装置は、同じデータ信号および同じ制御メッセージを受信するが、その装置向けのデータのみを回復する。その結果、データチャネルを受信する両方の装置に適用される制御情報を送信しながら、両方の装置にデータを送信するために同じ空間通信リソースが使用されるので、通信リソースが効率的に利用される。状況によっては、装置のうちの１つのみからのフィードバック情報が、送信の設定、変調、符号化率、および送信のタイミングパラメータに適用されてもよい。例えば、タイミング調整（ＴＡ）に関連するフィードバックは、ＭＢＢ  ＵＥデ装置から基地局で受信されてもよく、基地局から送信を受信するＭＴＣデバイスにとって正確であると仮定されてもよい。
【００１５】
図１は、ＭＢＢ  ＵＥ装置１１０と、ＭＢＢ  ＵＥ装置１１０の近くに位置するＭＴＣ装置１１２とを対象とするデータチャネル１０６および制御チャネル１０８を介して、信号送信１０４を送信する基地局１０２を有する通信システム１００のブロック図である。本明細書の例では、基地局１００は、ｅＮＢ、ｅＮｏｄｅＢ、アクセスポイント、または３ＧＰＰ（Ｔｈｅ  Ｔｈｉｒｄ  Ｇｅｎｅｒａｔｉｏｎ  Ｐａｒｔｎｅｒｓｈｉｐ  Ｐｒｏｊｅｃｔ）  ＬＴＥ（Ｌｏｎｇ  Ｔｅｒｍ  Ｅｖｏｌｕｔｉｏｎ）仕様の少なくとも１つの改訂に従って動作するシステムで同様のタスクを実行する任意の他の装置である。しかしながら、説明される技術は、状況によっては他のタイプのシステムにも適用されてもよい。ＵＥ装置およびＭＴＣ装置の両方が単一のユーザによって使用されている場合に、ＵＥ装置はスマートフォンであってもよく、ＭＴＣ装置はヘッドセットであってもよい。ヘッドセットはＭＴＣ装置なので、スマートフォンよりもはるかに狭い帯域幅で動作し、したがって、より狭い帯域幅で信号を送受信する。
【００１６】
制御情報１１４、１１６、１１８は、制御チャネル１０８を介して制御メッセージ１２０の複数の時間・周波数通信リソースを使用して送信される。データ１２２、１２４は、データがＵＥ装置１１０に関するＵＥデータ１２２およびＭＴＣ装置１１２に関するＭＴＣデータ１２４を含む場合に、データチャネル１０６の複数の時間・周波数リソースを使用して送信される。ＭＴＣデータ１２４は、ＵＥデータに利用可能であるが、ＵＥデータの送信には使用されていない時間・周波数リソースブロックの時間・周波数リソースを使用して送信される。
【００１７】
制御メッセージ１０６は、共通地理的位置依存制御情報１１６と、各装置による適切なデータの受信を容易にする装置固有の制御情報１２５とを含む。共通地理的位置依存制御情報１１６は、装置１０８、１１０の位置に起因するか、そうでなければそれに依存する制御情報である。共通地理的位置依存制御情報１０６の例には、ＭＩＭＯ設定のＰＭＩ（Ｐｒｅｃｏｄｉｎｇ  Ｍａｔｒｉｘ  Ｉｎｄｅｘ）、ＰＭＩ確認ビット、ＰＤＳＣＨおよびＲＳの間のパワーオフセット、ＤＭ−ＲＳスクランブリングシーケンスインデックス、および位相追跡ＲＳシーケンスインデックスが含まれる。装置固有の制御情報は、関連するＵＥ装置がそのＵＥ装置を対象とするデータを回復することを可能にする各装置に関する追加の制御情報を含み、データに使用される時間・周波数リソースの識別などの情報を含んでもよい。したがって、ＭＴＣ固有制御情報１１４はＭＴＣ装置１１２を対象とし、ＵＥ固有制御情報１１６はＭＢＢ  ＵＥ１１０装置を対象とし、一方、共通位置依存制御情報１１８は両方の装置を対象とする。装置固有の制御情報１２５は、変調符号化方式（ＭＣＳ）、冗長バージョン（ＲＶ）、および新データインジケータ（ＮＤＩ）を含んでもよい。
【００１８】
したがって、基地局１０２は、制御チャネル１０８を介して制御メッセージ１２０をＵＥ装置１１０およびＭＴＣ装置１１２に送信し、データチャネル１０６を介してＵＥデータ１２２およびＭＴＣデータ１２４を同じ空間リソースを使用してＵＥ装置１１０およびＭＴＣ装置１１２に送信する。ＵＥ装置１１０は、制御メッセージ１２０を受信し、ＵＥデータ１２２を回復するために、共通位置依存制御情報１１８およびＵＥ固有制御情報１１６を適用する。ＭＴＣ装置１１２は、制御メッセージ１２０を受信し、ＭＴＣデータ１２４を回復するために、共通位置依存制御情報１１８およびＭＴＣ固有制御情報１１４を適用する。
【００１９】
したがって、基地局は、装置の位置に依存する制御情報のうちの少なくともいくつかが同じであるくらい２つの装置が十分に近い場合には、ＵＥ装置およびＭＴＣ装置に送信信号を送信する。結果として、信号送信は、単一の制御チャネルおよび共有リソース割り当てが２つのデータストリームをＭＴＣ装置およびＭＢＢ  ＵＥ装置に配信することを可能にし、この場合、１つのデータストリームはＭＢＢ  ＵＥ装置に近接するＭＴＣ装置に配信される。
【００２０】
送信信号は、ＵＥ装置に関するＵＥデータを伝達する複数のデータサブキャリアを含む。ＵＥデータに利用可能であるが使用されていないデータサブキャリアの一部は、ＭＴＣ装置に関するＭＴＣデータを伝達する。送信信号はまた、ＵＥ装置およびＭＴＣ装置によるデータサブキャリアの受信に適用される地理的位置依存制御情報を伝達する複数の制御サブキャリアを含む。両方の装置に適用される地理的位置依存制御情報に加えて、制御サブキャリアはまた、ＵＥデータサブキャリアからのＵＥデータおよびＭＴＣデータサブキャリアからのＭＴＣデータの回復に適用される装置固有の制御情報を伝達する。装置固有の制御情報は、ＵＥデータを伝達する時間・周波数リソースおよびＭＴＣデータを伝達する時間・周波数リソースを識別する。地理的位置依存制御情報は、それらの共通の位置のために両方の装置に適用される制御情報を含み、多入力多出力（ＭＩＭＯ）パラメータおよび送信モードパラメータなどのパラメータを含んでもよい。
【００２１】
いくつかの状況では、ＭＴＣデータは、ＭＴＣ装置が既知の所定のフォーマットであってもよい。その結果、ＭＴＣデータ層制御情報は、限られた情報形成のみを含んでもよい。一例では、ＭＴＣデータ層制御情報は、ＭＴＣデータが事前割り当て通信に存在することを示すＭＴＣデータ存在インジケータのみを含む。したがって、ＭＴＣ制御情報は、ＭＴＣデータがあるか否かを示す１ビットのフラグを含んでもよい。所定のフォーマットは、変調符号化方式（ＭＣＳ）、ＭＴＣデータのサイズ、およびＭＴＣデータの時間・周波数リソースを含んでもよい。状況によっては、所定のフォーマットはまた、ＵＥデータおよびＭＴＣデータの共通の空間リソースを含んでもよい。
【００２２】
図２は、ＭＢＢ  ＵＥ装置１１０に近接するＭＴＣ装置１１２に対する信号送信２００の一例のブロック図である。送信信号２００は、互いに近くに位置する２つの装置に情報を送信するために、時間、周波数および空間リソースを共有する。送信信号２００は、装置１１０、１１２の両方に適用される共通位置依存制御情報１１８と、送信２００内のデータ位置について各装置に関する情報を少なくとも含む装置固有の制御情報１２５とを伝達するために使用される時間・周波数リソース要素などの制御通信リソース２０２を含む。信号送信２００はまた、ＵＥデータ１２２およびＭＴＣデータ１２４を伝達するために使用される時間・周波数リソース要素などのデータ通信リソースを含む。ＭＴＣデータ１２４には、ＵＥデータに利用可能だがＵＥデータには未使用の通信リソースが使用される。各装置１１０、１１２は、その装置を対象とするデータ通信リソース２０４からデータ１２２、１２４を回復するために、共通位置依存制御情報１１８および装置固有の制御情報１２５の装置依存情報１１４、１１６を使用する。ＭＴＣ装置は、空間（または指向性ビームフォーミング）ベクトルおよびＭＩＭＯパラメータなどの共通制御情報１１８が少なくとも類似する、状況によっては同じであるくらい、ＵＥ装置に十分に近い。状況によっては、装置は互いに１フィート以内にあってもよく、他の状況では、装置間の距離は２フィート未満である。さらに他の状況では、装置は互いに３フィート未満である。装置間の他の距離はまた、特定のシステム実装およびチャネル状態に応じて、可能であってもよい。
【００２３】
図３は、通信システム１００における送信に適した信号送信３００の一例の図である。信号送信３００は、物理下りリンク制御チャネル３０２および物理下りリンクデータチャネル３０４を含む。後述するように、いくつかの例では、物理下りリンク制御チャネル３０２は、３ＧＰＰ通信仕様の少なくとも１つの改訂に準拠するＰＤＣＣＨ（Ｐｈｙｓｉｃａｌ  Ｄｏｗｎｌｉｎｋ  Ｃｏｎｔｒｏｌ  Ｃｈａｎｎｅｌ）であり、物理下りリンクデータチャネル３０４は、３ＧＰＰ通信仕様の改訂に準拠するＰＤＳＣＨ（Ｐｈｙｓｉｃａｌ  Ｄｏｗｎｌｉｎｋ  Ｓｈａｒｅｄ  Ｃｈａｎｎｅｌ）である。物理下りリンク制御チャネル３０２は、制御メッセージを伝達する時間・周波数リソース（通信リソース要素）を含み、したがって、装置固有の制御情報１２５および共通位置依存制御情報１１８を含む。物理下りリンクデータチャネル３０４は、データ１２２、１２４を伝達する時間・周波数リソース（通信リソース要素）を含み、したがって、ＵＥデータ１２２およびＭＴＣデータ１２４を含む。したがって、物理下りリンク制御チャネル３０２は制御チャネル１０８の一例であり、物理下りリンクデータチャネル３０４はデータチャネル１０６の一例である。ＭＴＣデータ１２４は、ＵＥデータ１２２に使用される通信リソース要素のブロック内にある。ＭＴＣデータに使用されるリソース要素は、ＵＥデータには使用されない。したがって、ＭＴＣデータはＵＥデータ内に「パンクチャリング」される。この例では、両方の装置は、装置固有の制御情報および共通位置依存制御情報１１８を回復するために、物理下りリンク制御チャネル３０２を受信して復号する。ＵＥ装置１１０は、ＵＥデータ１２２を回復するために、ＵＥ固有制御情報１１６および共通位置依存制御情報１１８を適用する。ＭＴＣ装置１１２は、ＭＴＣデータ１２４を回復するために、ＭＴＣ固有制御情報１１４および共通位置依存制御情報１１８を適用する。
【００２４】
図４は、通信システム１００における送信に適した信号送信４００の一例の図である。信号送信４００は、物理下りリンク制御チャネル４０２および物理下りリンク共有チャネル４０４を含む。上述のように、いくつかの例では、物理下りリンク制御チャネル３０２は、３ＧＰＰ通信仕様の少なくとも１つの改訂に準拠するＰＤＣＣＨ（Ｐｈｙｓｉｃａｌ  Ｄｏｗｎｌｉｎｋ  Ｃｏｎｔｒｏｌ  Ｃｈａｎｎｅｌ）であり、物理下りリンクデータチャネル３０４は、３ＧＰＰ通信仕様の少なくとも１つの改訂に準拠するＰＤＳＣＨ（Ｐｈｙｓｉｃａｌ  Ｄｏｗｎｌｉｎｋ  Ｓｈａｒｅｄ  Ｃｈａｎｎｅｌ）である。ＰＤＣＣＨ４０２は、制御情報を伝達する時間・周波数リソース（通信リソース要素）を含む。しかしながら、図４の例では、ＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）４０６が制御メッセージ１２０を送信するために使用され、したがって、装置固有の制御情報１２５および共通位置依存制御情報１１８を含む。ＰＤＳＣＨ４０４は、データ１２２、１２４を伝達する時間・周波数リソース（通信リソース要素）を含み、したがって、ＵＥデータ１２２およびＭＴＣデータ１２４を含む。したがって、ＥＰＤＣＣＨ４０６は制御チャネル１０８の一例であり、ＰＤＳＣＨ４０４はデータチャネル１０６の一例である。３ＧＰＰ通信仕様の少なくとも１つの改訂に従って、ＥＰＤＣＣＨ４０６は、ＵＥデータに割り当てられるリソース要素のブロック内のリソース要素を使用する。したがって、この例では、ＥＰＤＣＣＨに使用されるリソース要素の部分は、ＵＥデータには使用されない。
【００２５】
ＭＴＣデータ１２４は、ＵＥデータ１２２に使用される通信リソース要素のブロック内にある。ＭＴＣデータに使用されるリソース要素は、ＵＥデータには使用されない。したがって、ＭＴＣデータはＵＥデータ内に「パンクチャリング」される。信号送信４００は、他のＵＥ装置に関するデータおよび制御を含んでもよい。この例では、第２装置に関するＵＥ２データおよび第３装置に関するＵＥ３データがＰＤＳＣＨ４０４に含まれる。
【００２６】
図５は、ＵＥデータ１２２、ＭＴＣデータ１２４、およびＥＰＤＣＣＨ４０６を含む信号送信４００の一部５００の図である。ＥＰＤＣＣＨ４０６は、ＭＴＣ制御情報１１４、ＵＥ制御情報１１６および共通位置依存制御情報１１８を含む。両方の装置１１０、１１２は、装置固有の制御情報および共通位置依存制御情報１１８を回復するために、ＥＰＤＣＣＨ４０６を受信して復号する。ＵＥ装置１１０は、ＵＥデータ１２２を回復するために、ＵＥ固有制御情報１１６および共通位置依存制御情報１１８を適用する。ＭＴＣ装置１１２は、ＭＴＣデータ１２４を回復するために、ＭＴＣ固有制御情報１１４および共通位置依存制御情報１１８を適用する。図４および図５の例では、ＭＴＣ装置１１２は、ＵＥ装置１１０のために通常予約されている帯域幅の一部５０２のみを受信するために、狭帯域受信機を利用することができる。送信４００内のＥＰＤＣＣＨ４０６の近くにＭＴＣデータ１２４を配置することによって、ＭＴＣデータおよびＥＰＤＣＣＨ４０６を伝達するサブキャリアだけがＭＴＣ装置１１２によって受信される必要がある。ＭＴＣデータのリソース要素およびＥＰＤＣＣＨのリソース要素は周波数的に互いに近いため、狭い部分５０２のみが受信される。したがって、この例は、ＰＤＣＣＨ全体が受信される必要がある例と比較して、狭帯域受信機を使用するという利点を有する。
【００２７】
図４および図５の例では、制御メッセージ１２０は、第１データに対するＭＣＳ、第２データに対するＭＣＳ、第１データに対するＲＶおよびＮＤＩ、第２データに対するＲＶおよびＮＤＩ、第１データに対するＨｙｂｒｉｄ−ＨＡＲＱパラメータおよび第２データに対するＨｙｂｒｉｄ−ＨＡＲＱパラメータ（第１データおよび第２データに対して同一）、信号内のデータ位置（第１のデータおよび第２のデータに対して同一）、および空間処理に必要なＭＩＭＯおよび送信モードパラメータ（第１のデータおよび第２のデータに対して同一）を含む。状況によっては、追加の情報が制御メッセージ１２０に提供されてもよい。例えば、第１データおよび第２データの間の関係が提供されてもよい。そのような情報は、例えば、一方の装置がユーザに映像を提供し、他方の装置が音声を提供する場合に、各装置におけるデータバッファリングのために映像ストリームのデータブロック番号に一致する音声ストリームのブロック番号を含んでもよい。
【００２８】
図６は、ユーザ機器（ＵＥ）装置およびマシン型通信（ＭＴＣ）装置に送信信号を送信する方法の一例のフローチャートである。図６のステップは、示されているのとは異なる順序で実行することができ、いくつかのステップは単一のステップに組み合わされてもよい。追加のステップが実行されてもよく、いくつかのステップが省略されてもよい。例えば、方法は基地局１０２によって実行される。
【００２９】
ステップ６０２において、複数のデータ時間・周波数リソースは物理下りリンクデータチャネルを介して送信される。複数の時間・周波数リソースは、ＵＥ装置に関するＵＥデータを伝達するＵＥデータ時間・周波数リソースおよびＭＴＣ装置に関するＭＴＣデータを伝達するMTCデータ時間・周波数リソースを含む。ＵＥデータを伝達するＵＥデータ時間・周波数リソースは、ＵＥデータを伝達するために利用可能なＵＥデータ時間・周波数リソースの一部である。ＭＴＣデータを伝達するＭＴＣデータ時間・周波数リソースは、利用可能なＵＥデータ時間・周波数リソースのうちの未使用のＵＥデータ時間・周波数リソースである。
【００３０】
ステップ６０４において、複数の制御時間・周波数リソースは物理下りリンク制御チャネルを介して送信される。複数の制御時間・周波数リソースは、ＵＥ装置によるＵＥデータおよびＭＴＣ装置によるＭＴＣデータの受信に適用される共通位置依存制御情報を含む。物理下りリンク制御チャネルは、ＵＥデータの回復に適用され、ＵＥデータ時間・周波数リソースを識別するＵＥ制御情報と、ＭＴＣデータの回復に適用され、ＭＴＣデータ時間・周波数リソースを識別するＭＴＣ制御情報と、を含む。
【００３１】
物理下りリンク制御チャネルは、３ＧＰＰ（Ｔｈｅ  Ｔｈｉｒｄ  Ｇｅｎｅｒａｔｉｏｎ  Ｐａｒｔｎｅｒｓｈｉｐ  Ｐｒｏｊｅｃｔ）  ＬＴＥ（Ｌｏｎｇ  Ｔｅｒｍ  Ｅｖｏｌｕｔｉｏｎ）仕様の少なくとも１つの改訂に従うＰＤＣＣＨ（Ｐｈｙｓｉｃａｌ  Ｄｏｗｎｌｉｎｋ  Ｃｏｎｔｒｏｌ  Ｃｈａｎｎｅｌ）であってもよい。物理下りリンクデータチャネルは、３ＧＰＰ  ＬＴＥ仕様の少なくとも１つの改訂に従うＰＤＳＣＨ（Ｐｈｙｓｉｃａｌ  Ｄｏｗｎｌｉｎｋ  Ｓｈａｒｅｄ  Ｃｈａｎｎｅｌ）であってもよい。状況によっては、物理下りリンク制御チャネルは、３ＧＰＰ  ＬＴＥ仕様の少なくとも１つの改訂に従うＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）である。上述したように、ＭＴＣデータ時間・周波数リソースは、ＥＰＤＣＣＨサブキャリアに対して周波数において近くに配置することができる。例えば、ＭＴＣデータ時間・周波数リソースは、周波数においてＥＰＤＣＣＨサブキャリアに隣接することができる。そのような構成は、ＭＴ装置が狭帯域受信機を使用することを可能にする。
【００３２】
状況によっては、ＭＴＣデータ層制御情報は、ＭＴＣデータが信号送信中に存在し、ＭＴＣデータはＭＴＣデバイスが既知の所定のフォーマットであることを示すＭＴＣデータ存在インジケータを含む。所定のフォーマットは、変調符号化方式（ＭＣＳ）、ＭＴＣデータのサイズ、およびＭＴＣデータの時間・周波数リソースを含んでもよい。
【００３３】
明らかに、本発明の他の実施形態および変形はこれらの教示を考慮して当業者には容易に思い浮かぶであろう。上記の説明は例示的なものであり、限定的なものではない。本発明は、上記の明細書および添付の図面と併せて見たときに、すべてのそのような実施形態および変形形態を含む添付の特許請求の範囲によってのみ限定されるべきである。したがって、本発明の範囲は、上記の説明を参照して決定されるべきではなく、添付の特許請求の範囲をその均等物の全範囲を参照して決定されるべきである。
【図１】
2019531661.tif 000003
【図２】
2019531661.tif 000004
【図３】
2019531661.tif 000005
【図４】
2019531661.tif 000006
【図５】
2019531661.tif 000007
【図６】
2019531661.tif 000008
【国際調査報告】
2019531661.tif 000009
2019531661.tif 000010